(57)【要約】【課題】トレイをコネクタ本体に対して正規の位置に容易に挿入すること。【解決手段】カードを収容するトレイと、基板に実装され上記トレイが挿入されるコネクタ本体と、を備え、上記トレイに収容されたときの上記カードの表面と平行に位置する上記トレイと上記コネクタ本体との相互に対向する面に、相互に嵌合し上記トレイの上記コネクタ本体に対する挿入方向に沿って延びるガイドレールとガイド溝とをそれぞれ備え、上記トレイの上記コネクタ本体に対する挿入端と、上記コネクタ本体の内部に位置する挿入端受け部とに、上記トレイが上記コネクタ本体に挿入されたときに上記ガイドレールと上記ガイド溝とが相互に嵌合するよう上記挿入端と上記挿入端受け部とが相互に当接して上記トレイの上記コネクタ本体に対する位置を矯正する位置矯正手段を備えている。【選択図】図１４
2010251222.tif 000002
【特許請求の範囲】
【請求項１】
カードを収容するトレイと、基板に実装され前記トレイが挿入されるコネクタ本体と、を備え、
前記トレイに収容されたときの前記カードの表面と平行に位置する前記トレイと前記コネクタ本体との相互に対向する面に、相互に嵌合し前記トレイの前記コネクタ本体に対する挿入方向に沿って延びるガイドレールとガイド溝とをそれぞれ備えており、
前記トレイの前記コネクタ本体に対する挿入端と、前記コネクタ本体の内部に位置する挿入端受け部とに、前記トレイが前記コネクタ本体に挿入されたときに前記ガイドレールと前記ガイド溝とが相互に嵌合するよう前記挿入端と前記挿入端受け部とが相互に当接して前記トレイの前記コネクタ本体に対する位置を矯正する位置矯正手段を備えた、
カードコネクタ。
【請求項２】
請求項１記載のカードコネクタであって、
前記位置矯正手段は、前記トレイの前記挿入端に形成された当接面を有する挿入端側テーパー部と、前記コネクタ本体の前記挿入端受け部に形成された当接面を有する受け部側テーパー部と、により構成されており、
前記挿入端側テーパー部と前記受け部側テーパー部とにそれぞれ形成された前記各当接面は、前記トレイに収容されたときの前記カードの表面に対して垂直方向に沿って形成されていると共に、前記トレイの前記コネクタ本体に対する挿入方向に対して所定の角度だけ傾いてそれぞれ形成され、前記トレイが前記コネクタ本体に挿入されたときに相互に当接することで前記トレイの前記コネクタ本体に対する位置を矯正する、
カードコネクタ。
【請求項３】
請求項２記載のカードコネクタであって、
前記トレイの前記挿入端は、前記コネクタ本体に対する挿入方向に向かって二股に分かれた各分岐部を有しており、当該各分岐部に、前記挿入方向に沿って延びる前記ガイドレールあるいは前記ガイド溝がそれぞれ形成されており、前記各分岐部の前記各挿入端にそれぞれ前記挿入端側テーパー部が形成され、
前記コネクタ本体は、前記トレイの前記各分岐部にそれぞれ形成された前記各ガイドレールあるいは前記各ガイド溝に対応してそれぞれ嵌合する前記各ガイド溝あるいは前記各ガイドレールが形成され、前記各分岐部の挿入端にそれぞれ形成された前記各挿入端側テーパー部に対応して前記各受け部側テーパー部がそれぞれ形成されている、
カードコネクタ。
【請求項４】
請求項３記載のカードコネクタであって、
前記トレイの前記挿入端テーパー部と前記コネクタ本体の前記受け部側テーパー部とにそれぞれ形成された前記各当接面は、前記トレイの前記コネクタ本体に対する挿入方向に対して前記トレイの中央側から側方に向かって傾いてそれぞれ形成されている、
カードコネクタ。
【請求項５】
請求項１乃至４のいずれか一項に記載のカードコネクタであって、
前記トレイが前記コネクタ本体に対して挿入されることにより前記ガイドレールが挿入される前記ガイド溝の挿入口付近の溝幅を、当該ガイド溝の他の部分の溝幅よりも幅広に形成した、カードコネクタ。
【請求項６】
請求項５記載のカードコネクタであって、
前記ガイド溝の挿入口付近の幅広部分を、当該挿入口の端部に向かうにつれて徐々に溝幅が広くなるよう形成した、カードコネクタ。
【発明の詳細な説明】
【技術分野】
【０００１】
本発明は、カードコネクタにかかり、特に、基板に実装され、カードを収容したトレイが挿入されるカードコネクタに関する。
【背景技術】
【０００２】
近年、携帯電話などの電子機器は、メモリカードなどの小型なカードを装着することが可能なよう、カードコネクタを実装している。このカードコネクタは、特許文献１に示すように、電子機器内の基板に実装されたコネクタ本体と、このコネクタ本体に挿入されるトレイと、を備えている。そして、トレイにカードを収容してコネクタ本体に挿入することで、カードを電子機器に装着することができる。
【０００３】
ここで、カードコネクタの構成について、図１乃至図６を参照して説明する。まず、図１は、カードコネクタを構成するコネクタ本体１０１を示している。この図に示すように、コネクタ本体１０１は、一端側に半田付け部１１４の端子が並び、その反対側である他端側が開口した開口部１１３を有する箱型の形状をしている。そして、コネクタ本体１０１の内部には、開口部１１３から半田付け部１１４に向けて、カードが収納されたトレイ１０２（図３参照）が挿入される。以下、カードコネクタを構成するコネクタ本体１０１及びトレイ１０２の構成について、さらに詳述する。
【０００４】
図２は、コネクタ本体１０１の上面を覆っているコネクタシェル１１２を取り外した状態を示す図であり、内部の底面を構成するインシュレータ１１１を示している。そして、このインシュレータ１１１には、中央部に、トレイ１０２に収納されたカードのカード側端子（図示せず）と接触するコネクタ側端子１１５が設けられている。このコネクタ側端子１１５は、図２に示すように、コネクタ本体１０１の底面から当該コネクタ本体１０１の内部側つまり収容されるトレイ１０２が位置する上方に突出して斜めに延びて設けられている。
【０００５】
また、トレイ１０２は、図３（Ａ）の平面図及び図３（Ｂ）のＢ−Ｂ線断面図に示すように、略長方形状の平板状であり、カードが収容される凹部１２１（くぼみ）が形成されている。そして、トレイ１０２挿入端側は、二股に分岐して２つの分岐部１２２，１２３が形成されており、その中央部分は切除されている。この切除されている部分は、凹部１２１にカードが収容されると、当該カードの裏面に設けられたカード側端子が位置することとなる。従って、カードを収容したトレイ１０２を上記コネクタ本体１０１の開口部１１３から挿入することで、カードのカード側端子（図示せず）がトレイ１０２の切除部分から露出しており、コネクタ本体１０２のコネクタ側端子１１５に接触する。
【０００６】
また、コネクタ本体１０１に挿入されたトレイ１０２は、コネクタ本体１０１内で容易に抜け出さないように保持されるために、図１に示すように、コネクタ本体１０１の両側に形成されたバネ状の押さえ梁１１２ａ，１１２ｂで挟持される。そして、このバネ状の押さえ梁１１２ａ，１１２ｂから受ける荷重をトレイ１０２が受けた場合には、トレイ１０２自体、特にトレイ１０２が二股に分岐している挿入端側が変形しないように、トレイの背面側（カードが収容される凹部の裏面側）に、図３（Ｂ）の断面図に示すような突起状のガイドレール１２４ａ，１２４ｂが形成されている。そして、このガイドレール１２４ａ，１２４ｂに対応して、コネクタ本体１０１側には、トレイ１０２のガイドレール１２４ａ，１２４ｂが嵌合されるガイド溝１１６ａ，１１６ｂが形成されている。
【０００７】
なお、上述したカードコネクタは、通常、カードをトレイ１０２に収納し、カードとトレイ１０２を一体化した状態でコネクタ本体１０１に挿入する。ところが、カードをトレイ１０２に入れるのはエンドユーザであるため、電子機器等の装置を組み立てて出荷する際には、カードが無い状態でトレイ１０２のみをコネクタ本体１０１に挿入しておく必要がある。
【先行技術文献】
【特許文献】
【０００８】
【特許文献１】特開２００６−３５１４２６号公報
【発明の概要】
【発明が解決しようとする課題】
【０００９】
一方で、近年では、情報処理装置の小型化に伴い、カードコネクタ自体の小型化、特に低背化が進んでいる。すると、コネクタ本体１０１の開口部が小さくなり、トレイ１０２の挿入が困難となる。その結果、図４に示すように、トレイ１０２がコネクタ本体１０１に挿入方向に対して斜めに挿入されると、点線で示すトレイ１０２のガイドレール１２４ａ，１２４ｂとコネクタ本体１０１のガイド溝１１６Ａ，１１６Ｂとが、相互に嵌め合わされない状態となる。この図４の例では、例えば、下側に位置するガイドレール１２４ｂはガイド溝１１６ｂに入っているが、上側に位置するガイドレール１２４ａは、ガイド溝１１６ａに入らず、ずれている。
【００１０】
そして、さらにこの状態のままトレイ１０２を挿入していくと、図１に示している押さえ梁１１２ａ，１１２ｂがトレイ１０２を鋏持しているため、図５（Ａ）の平面図及び図５（Ｂ）のＣ−Ｃ線断面図に示すようになる。つまり、下側のガイドレール１２４ｂはガイド溝１１６ｂに嵌っているが、上側のガイドレール１２４ａは、押さえ梁１１２ａにより中央側に押さえられているので、ガイド溝１１６ｂからはずれたまま復帰しにくくなる。
【００１１】
そして、上述した状態では、ガイドレール１２４ａの突出高さの分だけ、トレイ１０２の側壁がインシュレータ１１１に対して浮いてしまい、コネクタシェル１１２と接触してしまう場合も生じる。すると、トレイ１０２はインシュレータ１１１とコネクタシェル１１２（図１参照）に挟まれることになるので、余計にガイドレール１２４ａは、正規の位置に復帰しにくくなる。そして、さらにトレイ１０２をコネクタ本体１０１に対して最後まで押し込むと、図６のようにトレイ１０２が変形したまま挿入されてしまい、当該トレイ１０２が歪んでしまう。その結果、カードを収容する凹部１２１もカードの外形とは異なる形になってしまい、エンドユーザがカードを入れることができなくなる、という問題が生じる。
【００１２】
ここで、仮に、ガイドレールがガイド溝に対してずれたことに気がついた場合には、トレイ１０２を一旦引き抜いて、再度挿入することになるが、再挿入でガイドレールが合うという保証はなく、カードを入れてみなくては、正規の位置にトレイが入ったかが分からない。
【００１３】
以上のように、カードを収容するトレイをコネクタ本体に挿入するカードコネクタでは、トレイを正規の位置に挿入することが困難である、という問題があった。
【００１４】
このため、本発明の目的は、上述した課題である、トレイをコネクタ本体に対して正規の位置に挿入することの困難性を解決することにある。
【課題を解決するための手段】
【００１５】
かかる目的を達成するため本発明の一形態であるカードコネクタは、
カードを収容するトレイと、基板に実装され上記トレイが挿入されるコネクタ本体と、を備えている。
そして、上記トレイに収容されたときの上記カードの表面と平行に位置する上記トレイと上記コネクタ本体との相互に対向する面に、相互に嵌合し上記トレイの上記コネクタ本体に対する挿入方向に沿って延びるガイドレールとガイド溝とをそれぞれ備えている。
さらに、上記トレイの上記コネクタ本体に対する挿入端と、上記コネクタ本体の内部に位置する挿入端受け部とに、上記トレイが上記コネクタ本体に挿入されたときに上記ガイドレールと上記ガイド溝とが相互に嵌合するよう上記挿入端と上記挿入端受け部とが相互に当接して上記トレイの上記コネクタ本体に対する位置を矯正する位置矯正手段を備えている。
【発明の効果】
【００１６】
本発明は、以上のように構成されることにより、容易にトレイをコネクタ本体に対して正規の位置に挿入することができ、ユーザの操作性の向上を図ることができる。
【図面の簡単な説明】
【００１７】
【図１】本発明に関連するカードコネクタを構成するコネクタ本体の構成を示す図である。
【図２】図１に開示したコネクタ本体の構成を示す図であり、図１で上面を覆うコネクタシェルと取り外したときの構成を示す図である。
【図３】本発明に関連するカードコネクタを構成するトレイの構成を示す図である。
【図４】図１に開示したコネクタ本体に、図３で開示したトレイを挿入するときの様子を示す図である。
【図５】図１に開示したコネクタ本体に、図３で開示したトレイを挿入するときの様子を示す図である。
【図６】図１に開示したコネクタ本体に、図３で開示したトレイを挿入するときの様子を示す図である。
【図７】本発明の実施形態１におけるカードコネクタを構成するコネクタ本体の構成を示す図である。
【図８】図７に開示したコネクタ本体の構成を示す図であり、図７で上面を覆うコネクタシェルと取り外したときの構成を示す図である。
【図９】本発明の実施形態１におけるカードコネクタを構成するトレイの構成を示す図である。
【図１０】図９に開示したトレイにカードを収容した時の様子を示す図である。
【図１１】図９に開示したトレイの構成を示す図であり、上面図、断面図、下面を示す。
【図１２】図７に開示したコネクタ本体に、図９で開示したトレイを挿入するときの様子を示す図である。
【図１３】図７に開示したコネクタ本体に、図９で開示したトレイを挿入するときの様子を示す図である。
【図１４】図７に開示したコネクタ本体に、図９で開示したトレイを挿入するときの様子を示す図である。
【図１５】図７に開示したコネクタ本体に、図９で開示したトレイを挿入するときの様子を示す図である。
【図１６】本発明の実施形態２におけるコネクタ本体の構成を示す図である。
【発明を実施するための形態】
【００１８】
＜実施形態１＞
本発明の第１の実施形態を、図７乃至図１５を参照して説明する。図７乃至図８は、コネクタ本体の構成を示す図であり、図９乃至図１１は、トレイの構成を示す図である。図１２乃至図１５は、トレイをコネクタ本体に挿入するときの動作を示す図である。
【００１９】
［構成］
本実施形態におけるカードコネクタは、携帯電話などの電子機器に実装されており、メモリカードなどの小型なカードを装着することを可能とするカードコネクタである。そして、カードコネクタは、電子機器内の基板に実装されたコネクタ本体１と、このコネクタ本体１に挿入されるトレイ２と、を備えている。以下、コネクタ本体１とトレイ２との構成について詳述する。
【００２０】
まず、図７乃至図８を参照して、コネクタ本体１の構成を説明する。コネクタ本体１は、図１に示すように、外形は、所定の厚みを有する板形状であり、内部が空洞な箱型に形成されている。具体的に、コネクタ本体１は、底面部分を構成するインシュレータ１１と、上面を覆うコネクタシェル１２と、を備えており、インシュレータ１１に板金で形成されたコネクタシェル１２をかしめて固定することで、図７に示すコネクタ本体１の形状となる。また、コネクタシェル１２の両側面には、トレイ２を挟持する押さえ梁１２ａ，１２ｂが形成されている。
【００２１】
そして、コネクタ本体１の一端側には、開口している開口部１３を形成しており、また、他端側には、基板（図示せず）に接続される端子が並んだ半田付け部１４を備えている。上記開口部１３から半田付け部１４にかけては、上記インシュレータ１１とコネクタシェル１２と側壁で覆われた空洞部が形成され、筒状になっている。なお、コネクタ本体１の空洞の内部には、上述した開口部１３からトレイ２が挿入される。そして、他端側の上記半田付け部１４は、インシュレータ１１にインサートモールドにより保持固定されるか、あるいは、圧入によって保持固定される。
【００２２】
ここで、コネクタ本体１の内部構成について、図８を参照して説明する。図８は、図７のコネクタ本体１から上面を形成するコネクタシェル１２を外した状態の上面図、つまり、インシュレータ１１にて構成されているコネクタ本体１の底面の様子を示している。この図に示すように、インシュレータ１１には、中央部分に、後述するようにトレイ２に収納されたカード３のカードＰＡＤ部３１（カード側端子）（図１０参照）と接触するコネクタ側端子１５が設けられている。このコネクタ側端子１５は、コネクタ本体１の底面から当該コネクタ本体１の内部側つまり収容されるトレイ２が位置する上方に突出して、斜め上方に延びて設けられている。
【００２３】
また、インシュレータ１１の表面には、後述するようにトレイ２の下面に突出して形成されたガイドレール２４ａ，２４ｂに嵌め合う所定の溝深さ及び溝幅を有する２本のガイド溝１６ａ，１６ｂが形成されている。なお、インシュレータ１１の表面とは、コネクタ本体１に挿入されたトレイ２の裏面に対して対向する面であり、当該トレイ２に収容されたカードの表面と平行に位置する面である。これらガイド溝１６ａ，１６ｂは、それぞれ側壁付近に、開口部１３から他端側にかけて直線状に形成されている。
【００２４】
また、インシュレータ１１の他端側つまり半田付け部１４側には、当該インシュレータ１１の上方に突出する２つの矯正壁１７ａ，１８ａ（受け部側テーパー部）が設けられている。具体的に、矯正壁１７ａ，１８ａは、インシュレータ１１の他端側の中央に設けられた半田付け部１４の両脇に隣接し、つまり、半田付け部１４と各ガイド溝１６ａ，１６ｂとの間にそれぞれ設けられている。そして、矯正壁１７ａ，１８ａは、当該インシュレータ１１の表面と垂直に形成された壁面１７ｂ，１８ｂを有しており、この壁面１７ｂ，１８ｂは、各ガイド溝１６ａ，１６ｂの長手方向つまりトレイ２が挿入される方向に対して斜めに傾いて形成されている。特に、図８に示すように、各矯正壁１７ａ，１８ａの壁面１７ｂ，１８ｂは、それぞれが他端側に向かうにつれてインシュレータ１１の側部方向に近づくよう形成されている。そして、各矯正壁１７ａ，１７ｂの壁面１７ｂ，１８ｂは、後述するトレイ２に設けられた角錐部２２ａ，２３ａの傾斜壁２２ｂ，２３ｂと当接する当接面となる。
【００２５】
次に、トレイ２の構成について、図９乃至図１１を参照して説明する。図９に示すように、トレイ２は、略長方形状の平板状であり、中央部分にカード（図示せず）が収容される略長方形状の凹んだ凹部２１が形成されている。そして、トレイ２は、図１１（Ａ）の上面図に示すように、その一端側つまり上述したコネクタ本体１に対して挿入される先端側である挿入端側に、二股に分岐した２つの分岐部２２，２３を有している。具体的に、各分岐部２２，２３は、上記挿入端とは反対側が連結して、かかる連結箇所から二股に分かれており、トレイ２自体の中央部分が挿入端まで挿入方向に切除されていることで、略Ｕ字状に形成されている。なお、上述した凹部２１には、図１０に示すように、略長方形状のカード３が収容されることになるが、このときにカード３の裏面つまり凹部２１への載置面側に設けられたカードＰＡＤ部３１が、トレイ２の底面側に露出した状態となる。
【００２６】
また、上記各分岐部２２，２３の裏面側には、図１１（Ａ）のＡ−Ａ線断面図である図１１（Ｂ）、及び、図１１（Ｃ）の下面図に示すように、裏面側に突出するガイドレール２４ａ，２４ｂがそれぞれ形成されている。つまり、トレイ２の裏面には、各分岐部２２，２３に対応して当該分岐部２２，２３の長手方向つまりトレイ２の挿入方向に沿って、２本のガイドレール２４ａ，２４ｂが形成されている。そして、各ガイドレール２４ａ，２４ｂの幅や突出高さは、上述したインシュレータ１１に形成されたガイド溝１６ａ，１６ｂに嵌合可能なよう、当該ガイド溝１６ａ，１６ｂの溝幅及び溝深さに対応して形成されている。
【００２７】
さらに、トレイ２の各分岐部２２，２３の先端側、つまり、コネクタ本体１に対する挿入端側には、図１１（Ａ）のトレイ２の上面図に示すように、一部が角錐状の角錐部２２ａ，２３ａ（挿入端側テーパー部）がそれぞれ設けられている。この角錐部２２ａ，２３ａは、各分岐部２２，２３の先端側（挿入端側）に向かうにつれて徐々に断面形状が狭くなるよう形成されている。従って、符号２２ｂ，２３ｂに示す各分岐部２２，２３の相互に対向する面、つまり、トレイ２の中央側に向いた面は、トレイ２の底面に対して垂直方向に沿って形成されていると共に、トレイ２の挿入方向に対して斜めに傾いた傾斜面２２ｂ，２３ｂを形成している。具体的には、図１１（Ａ）に示すように、トレイ２の傾斜面２２ｂ，２３ｂは、トレイ２の中央から側方に向かって広がるよう、挿入方向に対して傾斜している。
【００２８】
そして、上記各分岐部２２，２３の各傾斜面２２ｂ，２３ｂは、上述したコネクタ本体１のインシュレータ１１に設けられた矯正壁１７ａ，１８ａの壁面１７ｂ，１８ｂと当接する当接面となる。このとき、各傾斜面２２ｂ，２３ｂの傾斜角度は、上記インシュレータ１１に設けられた矯正壁１７ａ，１８ａの壁面１７ｂ，１８ｂの傾斜角度とほぼ同一である。そして、トレイ２をコネクタ本体１に挿入した際に、トレイ２の傾斜面２２ｂ，２３ｂとコネクタ本体１の壁面１７ｂ，１８ｂとが当接することで、当該壁面１７ｂ，１８ｂが各分岐部２２，２３の角錐部２２ａ，２３ａを、コネクタ本体１の側方に押し出すよう機能し、トレイ２をコネクタ本体１に対する適切な位置に矯正することができる。つまり、上述した角錐部２２ａ，２３ａ（傾斜面２３ｂ，２３ｂ）と矯正壁１７ａ，１８ａ（壁面１７ｂ，１８ｂ）とは、相互に当接してトレイ２のコネクタ本体１に対する位置を矯正する位置京勢手段として機能する。
【００２９】
［動作］
次に、上述したカードコネクタの動作、つまり、コネクタ本体１にトレイ２を挿入するときの動作を、図１２乃至図１５を参照して説明する。なお、図１２乃至図１５では、説明の都合上、コネクタ本体１からコネクタシェル１２を取り外した状態のものを図示して説明する。
【００３０】
まず、カードを収容していないトレイ２をコネクタ本体１の開口部１３から挿入していく際に、図１２に示すように、挿入方向に対して斜めにトレイ２を挿入してしまった場合を考える。この時点では、トレイ２のガイドレール２４ａ，２４ｂと、コネクタ本体１のガイド溝１６ａ，１６ｂとの位置がずれてしまうが、操作者が抵抗感を感じることなく、そのままトレイ２を押し込んでしまうことがある。すると、図１３に示すように、ガイドレール２４ａとガイド溝１６ａとが相互に嵌合せずに外れ、トレイ２が変形されたままの状態となる。
【００３１】
その後、操作者が奥までトレイ２を押し込むと、トレイ２の先端の角錐部２２ａと、コネクタ本体１の矯正壁１７ａとが近づいていき、やがて図１４に示すように、トレイ２の角錐部２２ａの傾斜面２２ｂと、コネクタ本体１の矯正壁１７ａの壁面１７ｂとが、相互に当接する。そして、さらにトレイ２をコネクタ本体１に対して押し込むと、トレイ２の角錐部２２ａは、コネクタ本体１の矯正壁１７ａの壁面１７ｂに沿って、その位置が矯正される。つまり、図１４及び図１５に示すように、トレイ２の一方の分岐部２２の先端部分に位置する角錐部２２ａは、コネクタ本体１の矯正壁１７ａの壁面１７ｂにて当該コネクタ本体１の側方に向かって押圧され、かかる方向に広がるように位置が矯正され、当該角錐部２２ａの位置が正規の位置に復帰する。
【００３２】
これにより、トレイ２の一方の分岐部２２側のガイドレール２４ａと、これに対応するコネクタ本体１のガイド溝１６ｂとが相互に嵌合することなる。また、トレイ２の他方の分岐部２３側は、トレイ２を挿入した時点からガイドレール２４ｂとガイド溝１６ｂとが相互に嵌め合った状態であるため、そのまま挿入される。そして、最終的には、トレイ２がコネクタ本体１に対して、正規の位置に挿入されたこととなる。
【００３３】
以上のように、本実施形態によると、トレイ２の位置がコネクタ本体１に対してずれて挿入された場合であっても、操作者が意識することなく、そのまま押し込むことで、自動的に正規の位置に矯正される。従って、操作者は、容易にトレイ２をコネクタ本体１に対して正規の位置に挿入することができ、操作性が向上しうる。
【００３４】
ここで、上記では、角錐部と矯正壁とが、相互に挿入方向に対して傾斜する当接面を有していることを説明したが、必ずしも傾斜する当接面が形成されていることに限定されない。角錐部と矯正壁とは、たがいに当接して、トレイ２のコネクタ本体１に対する位置を矯正するよう機能していれば、いかなる形状であってもよい。
【００３５】
また、上記では、二股に分岐されて構成されているトレイ２に対応して、相互に対応する矯正壁と角錐部とが２対設けられている場合を説明したが、必ずしも２対設けられている必要はない。例えば、一対の角錐部と矯正壁、つまり、一方の分岐部に対してのみ角錐部が設けられ、これに対応して１つの矯正壁のみが設けられていてもよい。そして、上記では、トレイ２が二股に分岐されて構成されている場合を説明したが、必ずしも二股に形成されていることに限定されない。
【００３６】
さらに、上記では、トレイ２にガイドレールが設けられ、コネクタ本体１にガイド溝が設けられている場合を説明したが、逆に、コネクタ本体１にガイドレールが、トレイ２にガイド溝が設けられていてもよい。また、上記では、ガイドレールやガイド溝が２本設けられている場合を例示したが、１本でもよく、その本数は上述した本数に限定されない。
【００３７】
＜実施形態２＞
次に、本発明の第２の実施形態を、図１６を参照して説明する。図１６は、本実施形態におけるコネクタ本体１を構成するインシュレータ１１の構成を示す図である。なお、本実施形態におけるカードコネクタの他の構成は、上述した実施形態１の構成とほぼ同じであるため、その詳細な説明は省略する。
【００３８】
図１６に示すように、本実施形態におけるインシュレータ１１のガイド溝１６ａ，１６ｂは、上述した実施形態１で説明したものと形状が異なる。つまり、本実施形態におけるガイド溝１６ａ，１６ｂは、コネクタ本体１の開口部１３側に位置し、ガイドレールの先端が挿入される挿入口付近の溝幅が、挿入方向側の溝幅よりも幅広に形成されている。具体的には、図１６に示すように、ガイド溝１６ａ，１６ｂの挿入口付近の溝幅が、挿入口の端部に向かうにつれて徐々に広くなるよう形成されている。特に、ガイド溝１６ａ，１６ｂの挿入口付近の溝幅が、インシュレータ１１の中央側に向かって広く形成されている。
【００３９】
これにより、トレイ２の各分岐部２２，２３が、コネクタ本体１に挿入方向に対して斜めに挿入された場合であっても、トレイ２に設けられたガイドレールを、コネクタ本体１のガイド溝１６ａ，１６ｂに誘導することができる。従って、ガイドレールとガイド溝とを容易に嵌合させることができ、トレイをコネクタ本体に対して正規の位置に挿入することがさらに容易となる。
【００４０】
＜実施形態３＞
次に、本発明の第３の実施形態を説明する。本実施形態では、カードコネクタの概略を説明する。
【００４１】
本実施形態におけるカードコネクタは、
カードを収容するトレイと、基板に実装され上記トレイが挿入されるコネクタ本体と、を備えている。
そして、上記トレイに収容されたときの上記カードの表面と平行に位置する上記トレイと上記コネクタ本体との相互に対向する面に、相互に嵌合し上記トレイの上記コネクタ本体に対する挿入方向に沿って延びるガイドレールとガイド溝とをそれぞれ備えている。
さらに、上記トレイの上記コネクタ本体に対する挿入端と、上記コネクタ本体の内部に位置する挿入端受け部とに、上記トレイが上記コネクタ本体に挿入されたときに上記ガイドレールと上記ガイド溝とが相互に嵌合するよう上記挿入端と上記挿入端受け部とが相互に当接して上記トレイの上記コネクタ本体に対する位置を矯正する位置矯正手段を備えている。
【００４２】
また、上記カードコネクタでは、
上記位置矯正手段は、上記トレイの上記挿入端に形成された当接面を有する挿入端側テーパー部と、上記コネクタ本体の上記挿入端受け部に形成された当接面を有する受け部側テーパー部と、により構成されている。
そして、上記挿入端側テーパー部と上記受け部側テーパー部とにそれぞれ形成された上記各当接面は、上記トレイに収容されたときの上記カードの表面に対して垂直方向に沿って形成されていると共に、上記トレイの上記コネクタ本体に対する挿入方向に対して所定の角度だけ傾いてそれぞれ形成され、上記トレイが上記コネクタ本体に挿入されたときに相互に当接することで上記トレイの上記コネクタ本体に対する位置を矯正する、
という構成を有する。
【００４３】
また、上記カードコネクタでは、
上記トレイの上記挿入端は、上記コネクタ本体に対する挿入方向に向かって二股に分かれた各分岐部を有しており、当該各分岐部に、上記挿入方向に沿って延びる上記ガイドレールあるいは上記ガイド溝がそれぞれ形成されており、上記各分岐部の上記各挿入端にそれぞれ上記挿入端側テーパー部が形成されている。
そして、上記コネクタ本体は、上記トレイの上記各分岐部にそれぞれ形成された上記各ガイドレールあるいは上記各ガイド溝に対応してそれぞれ嵌合する上記各ガイド溝あるいは上記各ガイドレールが形成され、上記各分岐部の挿入端にそれぞれ形成された上記各挿入端側テーパー部に対応して上記各受け部側テーパー部がそれぞれ形成されている、
という構成を採る。
【００４４】
また、上記カードコネクタでは、
上記トレイの上記挿入端テーパー部と上記コネクタ本体の上記受け部側テーパー部とにそれぞれ形成された上記各当接面は、上記トレイの上記コネクタ本体に対する挿入方向に対して上記トレイの中央側から側方に向かって傾いてそれぞれ形成されている、
という構成を採る。
【００４５】
上記構成のカードコネクタによると、まず、トレイにカードを収容し、当該トレイを挿入端からコネクタ本体の開口部に挿入する。そして、トレイをコネクタ本体の奥側に位置する挿入端受け部に向かって挿入し続けると、トレイの挿入端に形成された挿入方向に対して傾いて形成された当接面を有する挿入端側テーパー部が、当該挿入端側テーパー部と同じ角度に傾いて形成された当接面を有するコネクタ本体に形成された受け部側テーパー部に当接する。すると、相互に当接する各当接面が同じ角度に傾いていることにより、トレイの挿入端がコネクタ本体の受け部側テーパー部によって適切な位置に案内され、かかる位置が矯正される。特に、トレイの挿入端が二股に分岐している場合であっても、上記当接面の傾きを挿入方向に対してトレイの中央側から側方に向かって形成することで、当該挿入端の各分岐部を側方へと案内する。これにより、トレイとコネクタ本体との対向面に設けられたガイドレールとガイド溝とが相互に嵌合する位置に、自動的に矯正される。従って、容易にトレイをコネクタ本体に対して正規の位置に挿入することができ、ユーザの操作性の向上を図ることができる。
【００４６】
また、上記カードコネクタでは、
上記トレイが上記コネクタ本体に対して挿入されることにより上記ガイドレールが挿入される上記ガイド溝の挿入口付近の溝幅を、当該ガイド溝の他の部分の溝幅よりも幅広に形成した、という構成を採る。
【００４７】
また、上記カードコネクタでは、
上記ガイド溝の挿入口付近の幅広部分を、当該挿入口の端部に向かうにつれて徐々に溝幅が広くなるよう形成した、という構成とる。
【００４８】
これにより、トレイをコネクタ本体に挿入する際に、ガイド溝の挿入口付近の溝幅が広く形成されているため、ガイドレールとガイド溝とを容易に嵌合させることができる。従って、トレイをコネクタ本体に対して正規の位置に挿入することがさらに容易となり、ユーザの操作性のさらなる向上を図ることができる。
【産業上の利用可能性】
【００４９】
本発明は、携帯電話などの電子機器にメモリカードなどのカードを装着するカードコネクタとして利用することができ、産業上の利用可能性を有する。
【符号の説明】
【００５０】
１  コネクタ本体
１１  インシュレータ
１２  コネクタシェル
１２ａ，１２ｂ  押さえ梁
１３  開口部
１４  半田付け部
１５  コネクタ側端子
１６ａ，１６ｂ  ガイド溝
１７ａ，１８ａ  矯正壁
１７ｂ，１８ｂ  壁面
２  トレイ
２１  凹部
２２，２３  分岐部
２２ａ，２３ａ  角錐部
２２ｂ，２３ｂ  傾斜面
２４ａ，２４ｂ  ガイドレール
３  カード
３１  カードＰＡＤ部
【図１】
2010251222.tif 000003
【図２】
2010251222.tif 000004
【図３】
2010251222.tif 000005
【図４】
2010251222.tif 000006
【図５】
2010251222.tif 000007
【図６】
2010251222.tif 000008
【図７】
2010251222.tif 000009
【図８】
2010251222.tif 000010
【図９】
2010251222.tif 000011
【図１０】
2010251222.tif 000012
【図１１】
2010251222.tif 000013
【図１２】
2010251222.tif 000014
【図１３】
2010251222.tif 000015
【図１４】
2010251222.tif 000016
【図１５】
2010251222.tif 000017
【図１６】
2010251222.tif 000018